(57)【要約】【課題】光走査によるファインダー表示において、光源およびスキャナ機構の位置決めが容易で、表示パターンを所定位置に精度よく表示する。【解決手段】一体的にパッケージングされたマイクロミラーデバイス５５および光源６０を備えるスキャナモジュール５０を、カメラの光学ファインダー傍に設ける。スキャナモジュール５０において、光源６０とマイクロミラー５６を同一方向に向けて配置し、光射出面６０Ｓとミラー反射面５６Ｓを互いに平行にする。また、スキャナモジュール５０内の内部空間ＮＳを密閉する矩形状リッドグラス７０には、全反射面７６、ＰＢＳ膜７８を４５度の傾斜角度で形成し、マイクロミラー５６とリッドグラス７０の間にλ／４波長板６５を配置する。【選択図】図３
2010175677.tif 000002
【特許請求の範囲】
【請求項１】
焦点板を有し、観察用の被写体像を形成する光学ファインダーと、
光源の光を反射する微小ミラーを傾斜させることによって、前記微小ミラーで反射した光をファインダー視野に合わせて走査させるスキャナ機構と、
前記光源の光を変調して表示パターンを形成する表示制御手段とを備え、
表示パターンがファインダー視野内で被写体像に重ねて表示されるように、前記スキャナ機構が前記光学ファインダーに対して位置決めされ、
前記スキャナ機構が、前記微小ミラーと対向し、前記光源からの光を前記微小ミラーの反射面に垂直方向から当てるとともに前記反射面で反射した光を透過する光学部材を有することを特徴とするカメラ。
【請求項２】
前記光源の光射出面が前記反射面と同一方向に向いて平行であり、
前記光学部材が、前記光源からの光を反射する第１光学面と、前記第１反射面からの光を前記微小ミラーへ導くとともに前記微小ミラーで反射した光を透過する第２光学面を有することを特徴とする請求項１に記載のカメラ。
【請求項３】
前記光学部材が、前記マイクロミラー上方に配置された集光レンズを有することを特徴とする請求項１乃至２のいずれかに記載のカメラ。
【請求項４】
前記第２光学面がＰＢＳ膜を有し、
前記光学部材が、前記第２光学面と前記微小ミラーとの間に配置されるλ／４波長板を有することを特徴とする請求項１乃至３のいずれかに記載のカメラ。
【請求項５】
前記光学部材が、前記微小ミラーと前記光源を覆うカバー部材として構成されることを特徴とする請求項１乃至５に記載のカメラ。
【請求項６】
前記光源が、面発光レーザーであることを特徴とすることを特徴とする請求項１乃至５に記載のカメラ。
【請求項７】
前記光源および前記スキャナ機構が、一体的にパッケージングされていることを特徴とする請求項１乃至６のいずれかに記載のカメラ。
【請求項８】
前記微小ミラーで反射した光が前記光学ファインダーを介して前記焦点板の表面を走査するように、前記スキャナ機構が配置されることを特徴とする請求項１乃至６のいずれかに記載のカメラ。
【請求項９】
ハウジング内に設けられる光源と、
前記ハウジング内に設けられ、前記光源からの光を所定方向に反射する軸回転可能な微小ミラーと、
前記ハウジングを密閉するとともに、前記光源からの光を前記微小ミラーへ導くカバーガラスとを備え、
前記カバーガラスが、前記微小ミラーと対向し、前記光源からの光を前記微小ミラーに垂直方向から当てるとともに前記微小ミラーで反射した光を透過することを特徴とするスキャナモジュール。
【請求項１０】
前記光源から前記カバーガラスに入射する光の進行方向が前記微小ミラーへ入射する光の進行方向と平行になるように、前記光源が配置されていることを特徴とする請求項９に記載のスキャナモジュール。
【請求項１１】
前記カバーガラスは、傾斜面を有する第１の柱状ガラスブロックと、前記光源および前記デバイスと対向し、２つの傾斜面を有する第２の柱状ガラスブロックと、傾斜面を有する第３の柱状ガラスブロックとを有し、
反射膜を介して前記第２の柱状ブラックが前記第１、第３の柱状ガラスブロックと接合することによって平板状ガラスを形成し、
前記光源から前記カバーガラスへ入射する光が、前記反射膜を介して前記カバーグラスから前記微小ミラーへ向けて射出することを特徴とする請求項１０に記載のスキャナモジュール。
【発明の詳細な説明】
【技術分野】
【０００１】
本発明は、ペンタプリズムなど光学ファインダーを備えたカメラに関し、特に、マイクロミラーを使った２次元走査によって文字情報等をスーパーインポーズ表示可能なファインダー表示機構に関する。
【背景技術】
【０００２】
一眼レフ型カメラでは、撮影レンズを通った光がクイックリターンミラーによってミラー上方にあるピントグラスに導かれ、被写体像がピントグラスに形成される。カメラ上部に設けられたペンタプリズム、あるいはペンタミラーによって被写体像が観察可能となり、接眼レンズを通して被写体の構図、合焦状態が確認される。
【０００３】
ピントグラス上方には、合焦位置などをファインダー視野内に表示するため、複数の微小プリズムが測距点位置に形成されたスクリーン板が配置されている。レリーズボタン半押しによってオートフォーカスが機能すると、ファインダー傍に設けられたＬＥＤなどの光源から合焦位置に向けて光を照射し、これによって合焦マークが被写体像にスーパーインポーズ表示される。また、絞り、シャッタスピードなど露出値が液晶素子によりファインダー視野外に表示される。
【０００４】
合焦マークの表示位置は微小プリズムの形成位置にしか表示できず、また、文字情報の表示位置もファインダー視野外の所定領域に定められている。このようなパターンの表示位置の制限を解消するため、液晶素子とともにマイクロミラーを配置するカメラのファインダー表示方法が知られている（特許文献１参照）。
【０００５】
そこでは、所定角度で傾斜したマイクロミラーにＬＥＤ光源の光を照射させ、反射光を被写体像の光と重ね合わせる。マイクロミラーの角度を調整することによってフォーカスポイントなどのパターン表示位置を制御する。
【先行技術文献】
【特許文献】
【０００６】
【特許文献１】特開平１１−１５０６３号公報
【発明の概要】
【発明が解決しようとする課題】
【０００７】
マイクロミラーを２次元駆動させ、ミラーに反射する光を走査させてスーパーインポーズ表示する場合、ミラーを連続的に高速駆動する。走査中、合焦マーク、文字情報などの表示パターンをファインダー視野内で正確な位置に表示させることが要求され、位置決め精度の高いパターン表示が必要になる。しかしながら、走査時のマイクロミラーの傾斜角度、回転範囲は大きく、正確な位置にパターン表示させることが難しい。
【０００８】
特に、光源とスキャナ機構との間における光軸調整、すなわちミラー反射面への入射角度を、空間スペースの乏しい光学ファインダー周囲で精度よく調整する必要がある。また、カメラの種類によって光学ファインダーの形状、配置構成が異なるため、光学ファインダーの違いに合わせて個別に位置調整しなければならない。
【課題を解決するための手段】
【０００９】
本発明のカメラは、光走査によるファインダー表示可能なカメラであり、焦点板を有し、観察用の被写体像を形成する光学ファインダーと、マイクロミラーなどの光源の光を反射する微小ミラーを傾斜させることによって、微小ミラーで反射した光をファインダー視野に合わせて走査させるスキャナ機構と、光源の光を変調して表示パターンを形成する表示制御手段とを備える。
【００１０】
スキャナ機構は、表示パターンがファインダー視野内で被写体像に重ねて表示されるように、光学ファインダーに対して位置決めされている。走査面に関しては、例えば、微小ミラーで反射した光が光学ファインダーを介して焦点板の表面を走査するように、スキャナ機構を配置すればよい。光源については、面発光レーザーを光源としてもよい。
【００１１】
本発明では、スキャナ機構が、微小ミラーと対向し、光源からの光を微小ミラーの反射面に垂直方向から当てるとともに反射面で反射した光を透過する光学部材を有する。光学ファインダーと微小ミラーとの間に配置される光学部材によって、光源からの光をミラー反射面に対し垂直に当てる。ただし、ここでの垂直方向は、ミラーが傾斜していない状態での反射面に対する垂直な方向を表す。
【００１２】
ミラー垂直方向から光が入射するため、入射方向とスキャナ機構との間の位置決めを精度よく調整することが容易に可能となる。また、光学ファインダーに対する位置決め調整もミラー垂直方向に合わせて行うことになり、ミラー傾斜角度と走査面での走査位置とをそのまま対応づけて精度よくスキャナ機構を位置決めすることが可能となる。
【００１３】
特に、光源およびスキャナ機構を一体的にパッケージングすれば、光源と微小ミラーとの位置調整を行う必要がなく、ミラー反射面に垂直な方向を光軸に合わせ、光学ファインダーに対する配置を決定することが可能となる。パッケージングなどする場合、光学部材を微小ミラーと光源を覆うカバー部材として構成すればよい。
【００１４】
スキャナ機構と光源の配置スペースに制限があることから、光源の光射出面を、反射面と同一方向に向かせて平行にし、そして、光学部材に対し、光源からの光を反射する第１光学面と、第１反射面からの光を微小ミラーへ導くとともに微小ミラーで反射した光を透過する第２光学面を設けるのが望ましい。光源と反射ミラーの設置位置が平面に沿って固定でき、両方の配置が容易かつ高精度に定まる。
【００１５】
第２光学面はビームスプリッタ、プリズムなど様々な光学的部材によって構成可能であり、例えば、選択的に偏光成分を反射、透過するＰＢＳ膜を形成し、第２光学面と微小ミラーとの間にλ／４波長板を設けてもよい。また、光学部材にマイクロミラー上方に集光レンズを設けてもよい。
【００１６】
本発明の他の局面におけるスキャナモジュールは、カメラなど光学像にパターンを重ねて表示させる一体型パッケージング可能なスキャナモジュールであり、ハウジング内に設けられる光源と、前記ハウジング内に設けられ、前記光源からの光を所定方向に反射する軸回転可能な微小ミラーと、前記ハウジングを密閉するとともに、前記光源からの光を前記微小ミラーへ導くカバーガラスとを備える。そして、前記カバーガラスは、前記微小ミラーと対向し、前記光源からの光を前記微小ミラーに垂直方向から当てるとともに前記微小ミラーで反射した光を透過することを特徴とする。
【００１７】
パッケージングを小型化するため、前記光源から前記カバーガラスに入射する光の進行方向が前記微小ミラーへ入射する光の進行方向と平行になるように、前記光源をハウジング内に配置し、ハウジング内での光の入射、射出経路を平行にするのがよい。
【００１８】
できるだけ厚さのない平板状カバーガラスを構成するため、例えばカバーガラスは、傾斜面を有する第１の柱状ガラスブロックと、前記光源および前記デバイスと対向し、２つの傾斜面を有する第２の柱状ガラスブロックと、傾斜面を有する第３の柱状ガラスブロックとを設け、反射膜を介して前記第２の柱状ブラックが前記第１、第３の柱状ガラスブロックと接合することによって平板状ガラスを形成するのが望ましい。光源から前記カバーガラスへ入射する光が、前記反射膜を介して前記カバーグラスから前記微小ミラーへ向けて射出する。
【発明の効果】
【００１９】
このように本発明によれば、光源およびスキャナ機構の位置決めが容易で、表示パターンを所定位置に精度よく表示することが可能である。
【図面の簡単な説明】
【００２０】
【図１】本実施形態であるデジタルカメラの部分的な内部構成図である。
【図２】スキャナモジュールを上方から見た平面図である。
【図３】スキャナモジュールの模式的断面図である。
【図４】リッドガラスの上方から見た平面図である。
【図５】デジタルカメラのブロック図である。
【図６】レリーズボタンが半押しされた状態におけるファインダー表示を示した図である。
【発明を実施するための形態】
【００２１】
以下では、図面を参照して本実施形態であるデジタルカメラについて説明する。
【００２２】
図１は、本実施形態であるデジタルカメラの部分的な内部構成図である。
【００２３】
一眼レフ型デジタルカメラ１０では、鏡筒を含む撮影光学系１２がカメラ本体１１に着脱自在に装着されており、撮影光学系１２後方にはクイックリターンミラー１３、フォーカルプレーンシャッタ（図示せず）、ＣＣＤ１４が配置されている。クイックリターンミラー１３が配置されるミラーボックス上方には、マット面２５を形成したピントグラス２４、ペンタプリズム（ペンタゴナルダハプリズム）２６、そしてルーペ光学系２２を含む光学ファインダー２０が配置されている。
【００２４】
撮影光学系１２を通った光は、クイックリターンミラー１３によって上方に導かれ、ピントグラス２４に被写体像が形成される。ピントグラス２４を通った光は、ペンタプリズム２６内で反射し、ルーペ光学系２２へ導かれる。これにより、撮影光学系１２によって捉えられた被写体の光学像が、ルーペ光学系２２を通して視認される。
【００２５】
スキャナモジュール５０は、マイクロミラーデバイス５５、レーザー光源６０を備えた一体型モジュールであり、三角柱状プリズム２７を介してペンタプリズム２６の第２反射面２６Ｓの傍に配置されている。レーザー光源６０は、ＶＣＳＥＬ（Vertical Cavity Surface Emitting Laser）、すなわち面発光レーザーであり、可視光領域のレーザ光を放射する。レーザー光源６０から放射された光はマイクロミラーデバイス５５のマイクロミラー５６において反射し、反射光はペンタプリズム２６に入射し、ピントグラス２４のマット面２４Ｓに照射される。
【００２６】
レーザー光源６０からの光は、マット面２４Ｓにてピントグラス２４を透過する被写体像の光と重なり合う。
【００２７】
後述するように、マイクロミラー５６が２次元駆動することにより、マイクロミラー５６で反射した光はマット面２４Ｓをラスタ走査する。ラスタ走査の間、レーザー光源６０がＯＮ／ＯＦＦ制御され、表示パターンに応じた光がマット面２４Ｓに照射する。その結果、ファインダー視野内において、文字情報、合焦マークなどの表示パターンが被写体像に対しスーパーインポーズ表示される。
【００２８】
図２は、スキャナモジュールを上方から見た平面図である。図３は、スキャナモジュールの模式的断面図である。図４は、リッドガラスの上方から見た平面図である。
【００２９】
スキャナモジュール５０は、表面フラット型の方形モジュールであり、図３に示すように、セラミック層６２Ａ、６２Ｂ、６３Ｃを積層させてハウジングを構成した一体的構造になっている。スキャナモジュール５０の上部には、矩形状リッドガラス７０が配置されており、内部空間ＮＳを密閉している。真空封止された内部空間ＮＳには、レーザー光源６０、マイクロミラーデバイス５５が設置されている。
【００３０】
リッドガラス７０は、第１ガラスブロック７０Ａ、第２ガラスブロック７０Ａ、第３ガラスブロック７０Ｃを貼り合わせることによって、１枚の平板状カバーガラス部材を構成している。第１ガラスブロック７０Ａは、傾斜面４５度の斜面を有する柱状ブロックであり、傾斜斜面上に全反射膜７６が形成されている。第３ガラスブロック７０Ｃも４５度傾斜面を有する柱状ブロックであり、その傾斜面上にはＰＢＳ膜７８が形成されている。
【００３１】
第２ガラスブロック７０Ｂは、２つの４５度傾斜面を有する断面台形状のガラスブロックであり、第１ガラスブロック７０Ａの傾斜面に形成された全反射膜７６と、第３ガラスブロック７０Ｃの傾斜面に形成されたＰＢＳ膜７８とを接し合わせることにより、方形状リッドガラス７０が一体的に構成されている。なお、全反射膜７６とＰＢＳ膜７８とを第２ガラスブロック７０Ｂの２つ傾斜面にそれぞれ形成するようにしても良い。
【００３２】
リッドガラス７０の表面７０Ｓには、凸レンズ７４が第３ガラスブロック７０Ｃの表面部分に形成されている。一方、リッドガラス７０の底面７０Ｔには、集光レンズ７２が第１ガラスブロック７０Ａの底面部分に形成されている。
【００３３】
セラミック層６２Ａには、レーザー光源６０、およびマイクロミラーデバイス５５を載せた基台５３が設置固定されており、レーザー光源６０、マイクロミラーデバイス５５は外部の回路と繋がっているリード線ＢＴと接続する。リッドガラス７０は、内部空間ＮＳを間に挟んでレーザー光源６０、マイクロミラーデバイス５５と対向している。
【００３４】
矩形状のマイクロミラー５６は、直交する２軸方向に沿って形成された２対のヒンジ（トーションバー、図示せず）を介してシリコンウェハ基板の矩形状支持フレーム５９と一体的に繋がっており、２対のヒンジ周りにそれぞれ軸回転および往復揺動運動可能に保持されている。
【００３５】
支持フレーム５９に形成された固定電極（図示せず）とマイクロミラー５６に形成された可動電極（図示せず）との間に正負の電荷が生じると、マイクロミラー５６が傾斜する。電荷量を調整することによって、マイクロミラー５６の傾斜角を連続的に変更させることが可能であり、マイクロミラー５６は、反射光をラスタ走査させるように２次元駆動する。
【００３６】
基台５３上に設置されたマイクロミラーデバイス５５のミラー反射面５６Ｓとレーザー光源６０の光射出面６０Ｓは、ともに同一方向を向いて互いに平行である。すなわち、マイクロミラー５６が傾斜していない状態でのミラー反射面５６Ｓの垂直方向と、光射出面６０Ｓの垂直方向が一致する。
【００３７】
リッドガラス７０内部には、モジュール長さ方向に沿って向かい合う全反射膜７６とＰＢＳ膜７８が形成されており、リッドガラス７０の表面７０Ｓ、底面７０Ｔに対してそれぞれ４５度傾斜している。全反射膜７６は、レーザー光源６０の上方に形成され、レーザー光源６０からの光を全反射する。一方、マイクロミラー５６上方に形成されたＰＢＳ膜７８は偏光ビームスプリッタであり、光のＳ偏光成分を反射し、Ｐ偏光成分を透過する。
【００３８】
リッドガラス７０の底面７０Ｔには、λ／４波長板６５がマイクロミラー５６と対向する位置に設置されている。全反射膜７６で反射したＳ偏光成分の光がλ／４波長板６５を往復することでＰ偏光成分に変換され、ＰＢＳ膜７８は、マイクロミラー５６で反射したＰ偏光成分の光を透過する。
【００３９】
上述したように、リッドガラス７０の表面７０Ｓ、底面７０Ｔと、マイクロミラー５６のミラー反射面５６Ｓおよびレーザー光源６０の光射出面６０Ｓは、互いに平行関係にある。これらの面を仮想的基準平行面ＭＳに平行な面であるとすると、レーザー光源６０からリッドグラス７０に入射する光、すなわちリッドグラス７０に対して垂直方向に入射する光は、全反射膜７６により基準平行面に沿って反射する。
【００４０】
そして、全反射膜７６からＰＢＳ膜７８に到達した光は、基準平行面に垂直な方向、すなわちミラー反射面５６Ｓに垂直な方向に進行する。その結果、レーザー光源６０から放射された光は、マイクロミラー５６のミラー反射面５６Ｓに対し垂直方向から照射する。
【００４１】
ミラー反射面５６Ｓで反射した光は、リッドガラス７０内のＰＢＳ膜７８を通り、スキャナモジュール５０外部へ射出する。マイクロミラー５６が二次元駆動する（傾斜する）のに合わせて光の射出方向は変化し、反射光はラスタ走査される。
【００４２】
なお、リッドガラス７０の底面７０Ｔに形成された凸レンズ７４により、レーザー光源６０から放出された光は照明凸レンズ７４を通ってリッドガラス７０に入射する。また、リッドガラス７０の表面７０Ｓに形成された集光レンズ７２により、ＰＢＳ膜を透過した光は集光レンズ７２を通ってスキャナモジュール５０の外部へ射出する。
【００４３】
図５は、デジタルカメラ１０のブロック図である。図６は、レリーズボタンが半押しされた状態におけるファインダー表示を示した図である。
【００４４】
電源ＯＮ操作によってメインスイッチＳ１がＯＮ状態になると、電源回路８２からシステムコントロール回路８０を含む回路全体に電源が供給される。ＲＯＭ９７、ＲＡＭ９９を備えたシステムコントロール回路８０は、カメラ動作を制御し、ＡＦ制御部９０、分割測光制御部９８などへ制御信号を出力する。撮影光学系１２によって形成される被写体像は、ルーペ光学系２２を通して表示されている。
【００４５】
レリーズボタン（図示せず）が半押しされて測光スイッチＳ２がＯＮ状態になると、分割測光制御部５８によって被写体の明るさが計測され、露出値が算出される。また、撮影光学系１２を通った光がミラーボックス下部に設けられたＡＦ用ＣＣＤセンサ９１に導かれると、ＡＦ制御部９０は合焦状態であるか否かを検出する。そして、多分割オートフォーカス機能に従い、システムコントロール回路８０はＡＦモータ９３を制御し、撮影光学系１２のフォーカシングレンズをシフトさせる。
【００４６】
一方、ファインダー表示のため、レーザー駆動回路６１はレーザー光源６０を駆動し、遠赤外線のレーザー光がマイクロミラー５６に向けて放射される。また、ミラー駆動回路５７がマイクロミラーデバイス５５を制御し、マイクロミラー５６を二次元駆動させてマイクロミラー５６の反射光をラスタ走査させる。
【００４７】
上述したように、マイクロミラー５６で反射した光は、ペンタプリズム２６に入射し、ピントグラス２４のマット面２４Ｓに照射する。そして、マット面２４Ｓ上にて走査光と被写体像の光とが重ね合わせられる。
【００４８】
マイクロミラー５６によるラスタ走査範囲は、ファインダー表示される被写体像の視野領域に従う。また、マイクロミラー５６の２軸に関する傾斜角度は、ファインダー視野領域内での走査位置と１対１対応関係になっている。したがって、レーザー光源６０から放射される光を所定のタイミングでＯＮ／ＯＦＦ制御することで、文字、マークなどのパターンを所望するサイズ、位置で表示可能である。
【００４９】
システムコントロール回路８０は、表示パターンを所定サイズ、所定位置で表示するため、レーザー駆動回路６１へ制御信号を出力する。レーザー駆動回路６１はレーザー光源６０をＯＮ／ＯＦＦ制御し、光が表示位置を走査するときにレーザー光源６０をＯＮに切り替える。表示パターンのサイズ、表示位置に関するデータは、あらかじめＲＯＭ９７に記憶されている。
【００５０】
図５では、ファインダー表示される被写体像とともに、多分割オートフォーカス動作によって検出された合焦位置にフレーム状の合焦マークＫ１がスーパーインポーズ表示されている。また、露出値である絞り値Ｋ２、シャッタスピードＫ３が表示領域右端付近にスーパーインポーズ表示されている。
【００５１】
レリーズボタンが全押しされてレリーズスイッチＳ３がＯＮ状態になると、一連の記録動作が実行され、露出制御部９５がクイックリターンミラー１３を退避させるとともにシャッタ５５を開閉させる。その結果、被写体像がＣＣＤ１４に結像される。被写体像に応じた画像信号は、ＣＣＤ駆動回路９２によってＣＣＤ１４から読み出される。信号処理回路９９では、読み出された画像信号に対しホワイトバランス、ガンマ補正、マトリクス変換など様々な処理が施され、デジタルのＲ，Ｇ，Ｂ画像信号が生成される。
【００５２】
デジタル画像信号は、圧縮処理された後にメモリカード８８に記録される。モードダイヤル（図示せず）に対する操作よって再生モードが選択された場合、記録された画像データがメモリカード８８から読み出される。そして、伸張処理により復元した画像がＬＣＤ９６に再生表示される。
【００５３】
このように本実施形態によれば、マイクロミラーデバイス５５および光源６０を備え、一体的にパッケージングされたスキャナモジュール５０が光学ファインダー２０の傍に設けられている。スキャナモジュール５０では、光源６０とマイクロミラー５６が同一方向を向いて配置され、光射出面６０Ｓとミラー反射面５６Ｓが互いに平行である。一方、スキャンモジュール５０内の内部空間ＮＳを密閉する矩形状リッドグラス７０には、全反射面７６、ＰＢＳ膜７８が４５度の傾斜角度で形成され、マイクロミラー５６とリッドグラス７０の間にλ／４波長板が配置される。
【００５４】
このように光学レンズ機能および光反射機能を備えた平板状リッドガラス７０をレーザー光源６０、マイクロミラー５６に対向配置させることにより、レーザー光源６０の光がミラー反射面５６Ｓに垂直入射し、スキャナモジュール５０の表面７０Ｓから反射光が垂直方向に沿って射出する。ミラー反射面５６Ｓに光が垂直入射するため、光学ファインダー２０の光軸に合わせてスキャナモジュール５０を精度よく位置調整することが容易であり、表示パターンを所望する位置で正確に表示することができる。
【００５５】
また、平板状であるリッドガラス７０によって、入射光及び射出光ともリッドガラス７０の平面の法線方向に沿った光路が形成される。したがって、並列配置されたレーザー光源６０やスキャナモジュール５０との位置合わせが、平面上にて容易かつ高精度に行うことが可能であり、光源、光学系、マイクロミラーデバイスを一体化、すなわちモジュール化するときに効果的である。
【００５６】
また、レーザー光源６０とマイクロミラー５６はあらかじめスキャナモジュール５０内で位置固定されているため、スキャナ機構、光源を光軸調整しながら個別にカメラ内部に設置する煩雑な作業が省略される。また、レーザー光源６０とマイクロミラー５６を同一方向に向けているため、スキャナモジュール５０を薄型化することが可能となり、配置スペースの制限されたカメラ内部に収めることができる。
【００５７】
ミラー反射面に対して光が垂直方向から照射する構成であればよく、レーザー光源、全反射面、ＰＢＳ膜の配置角度などを実施形態外の構成で適用してもよい。
【００５８】
全反射面以外の光学部材によってレーザー光源からの光を反射させてもよく、ビームスプリッタなど、ＰＢＳ膜以外の光学部材によって光を選択的に反射、透過させるように構成してもよい。
【００５９】
レーザー光源としてストライプ型レーザーも適用可能であり、レーザー以外の光源を使用してもよい。さらに、レ遠赤外光以外の光を光源から放射させてもよく、また、マット面に蛍光体をコーティングさせず、光源の光を直接視認させるように構成してもよい。
【００６０】
スキャナモジュールは、ムービーカメラなどデジタルカメラ以外のカメラにも適用可能であり、キャラクタあるいは記録画像などをファインダー表示する撮影装置に適用可能である。また、一体化したパッケージングでなく、個別にスキャナ機構、光源を配置してもよい。
【符号の説明】
【００６１】
１０  デジタルカメラ
１２  撮影光学系
２０  光学ファインダー
２４  ピントグラス（焦点板）
２６  ペンタプリズム
２７  蛍光体
５０  スキャナモジュール
５６  マイクロミラー（微小ミラー）
６０  レーザー光源（光源）
６５  λ／４波長板
７０  リッドガラス（光学部材、カバーガラス）
７２  集光レンズ
７６  全反射面（第１光学面）
７８  ＰＢＳ膜（第２光学面）
【図１】
2010175677.tif 000003
【図２】
2010175677.tif 000004
【図３】
2010175677.tif 000005
【図４】
2010175677.tif 000006
【図５】
2010175677.tif 000007
【図６】
2010175677.tif 000008